(57)【要約】  コンピュータ支援方法を使用して、１人又は複数の車両乗員（３）の個人事故データ（１０）を分析する。ここで、前記個人事故データ（１０）は、少なくとも、事故中の車両乗員（３）のビデオシーケンスの画像データを含む。当該方法は、画像データに基づいてパターン（Ｍ（ｘ））を認識する少なくとも１つの第１のステップ（Ｓ１）と、認識されたパターン（Ｍ（ｘ））を以前に保存されたいくつかのパターン（Ｍ（１）．．．Ｍ（ｎ））と比較する少なくとも１つの第２のステップ（Ｓ２）とを含む。
2021531549.tif 000002
【特許請求の範囲】
【請求項１】
１人又は複数の車両乗員（３）の個人事故データ（１０）を分析するためのコンピュータ支援方法であって、
ここで、前記個人事故データ（１０）は、事故中の車両乗員（３）のビデオシーケンスの少なくとも画像データを含み、
ここで、当該方法は、
前記画像データに基づいてパターン（Ｍ（ｘ））を認識する少なくとも１つの第１のステップ（Ｓ１）、及び
前記認識されたパターン（Ｍ（ｘ））をいくつかの以前に保存されたパターン（Ｍ（１）…Ｍ（ｎ））と比較する少なくとも１つの第２のステップ（Ｓ２）、
を含む、コンピュータ支援方法。
【請求項２】
認識されたパターンは、前記事故中の前記車両乗員（３）の移動シーケンスを含む、請求項１に記載のコンピュータ支援方法。
【請求項３】
認識された、及び/又は以前に保存されたパターンは、頭部（５）及び／又は首及び／又は胸郭及び／又は体幹及び／又は車両乗員の四肢（３）の加速プロセスの時系列、及び／又は頭（５）及び／又は首及び／又は胴及び／又は胸郭及び／又は車両乗員の四肢（３）のたわみの時系列を含む、請求項２に記載のコンピュータ支援方法。
【請求項４】
医療診断データ（Ｄ（１）．．．Ｄ（ｐ））は、以前に保存されたパターン（Ｍ（１）．．．Ｍ（ｎ））に割り当てられる、且つ、当該方法は、前記認識されたパターン（Ｍ（ｊ））に割り当てられた医療診断データ（Ｄ（ｊ））を出力する第３のステップ（Ｓ３）をさらに含む、請求項１から３のいずれか一項に記載のコンピュータ支援方法。
【請求項５】
前記医療診断データ（Ｄ（１）．．．Ｄ（ｐ））は、少なくとも１つの医療診断及び／又は医療の長期的影響に関する情報を含む、請求項４に記載のコンピュータ支援方法。
【請求項６】
前記医療診断データ（Ｄ（１）．．．Ｄ（ｐ））は、前記車両乗員（３）の負傷の可能性のある重症度を示す指標値を含む、請求項４又は５に記載のコンピュータ支援方法。
【請求項７】
前記個人事故データ（１０）は、前記事故直前及び／又は前記事故中の車両の物理的動作データをさらに含む、請求項１から６のいずれか一項に記載のコンピュータ支援方法。
【請求項８】
機械学習を実装するためのアルゴリズムを使用して実行される、請求項１から７のいずれか一項に記載のコンピュータ支援方法。
【請求項９】
前記アルゴリズムは、事前に提供された一連の個人事故データ（１０）を使用して、事前に保存されたパターン（Ｍ（１）．．．Ｍ（ｎ））として保存された画像データからいくつかのパターンを識別するのに適している、請求項８に記載のコンピュータ支援方法。
【請求項１０】
前記以前に保存されたパターン（Ｍ（１）．．．Ｍ（ｎ））は、事故データベースに保存される、請求項１から９のいずれかに記載のコンピュータ支援方法。
【請求項１１】
１人又は複数の車両乗員（３）の個人事故データ（１０）のコンピュータ支援分析用装置であって、ここで、前記個人事故データ（１０）は、少なくとも、事故中の車両乗員（３）のビデオシーケンスの画像データを含み、ここで、当該装置（２０）は、以下：
前記画像データに基づいてパターン（Ｍ（ｘ））を認識するための認識ユニット（２１）、及び
前記認識されたパターン（Ｍ（ｘ））を多数の以前に保存されたパターン（Ｍ（１）．．．Ｍ（ｎ））と比較するための比較ユニット（２２）、
を含む装置。
【請求項１２】
認識されたパターン（Ｍ（ｊ））に割り当てられた医療診断データ（Ｄ（ｊ））を出力するための出力ユニット（２３）をさらに含む、請求項１１に記載の装置。
【請求項１３】
請求項１１又は１２に記載の装置と、事故時の前記車両乗員（３）のビデオシーケンスの画像データを捕捉するための高速カメラと、前記高速カメラによって捕捉された画像データを記憶するためのデータメモリ、好ましくはリングメモリ、とを含む事故支援システム。
【請求項１４】
車両（１）の物理的動作データを取得するための動作データ取得ユニットをさらに含む、請求項１３に記載の事故支援システム。
【発明の詳細な説明】
【技術分野】
【０００１】
本発明は、１人又は複数の車両乗員の個人事故データを分析するためのコンピュータ支援方法、ならびに１人又は複数の車両乗員の個人事故データのコンピュータ支援分析のための装置に関する。
【背景技術】
【０００２】
車両の運転手や他の車両の乗員は、交通事故の結果としてさまざまな怪我をする可能性がある。事故、特に後部衝突の場合、頸椎（固定トランクに対するヘッドの突然の予期しない動きのため）、頭自体、胸郭だけでなく、体幹や四肢も特に怪我をする傾向がある。シートベルトを握っているときの事故時の胴体(Rumpf)に対する頭のさまざまな横滑り運動は、例えば、数百ミリ秒の範囲の非常に短い時間内に起こる。結果として生じる損傷又は医学的症状はむち打ち症（頸椎の歪み又はむち打ち症症候群とも呼ばれる）と呼ばれ、靭帯の過度の伸展から脊椎骨折又は致命的な損傷までの重症度に及ぶ可能性がある。
【０００３】
ただし、不利な衝撃角度により、シートベルトの保持機能が機能しなくなり、複数の外傷が無制限に発生する可能性があり、これは、グラフィカルに示すことができる。ただし、発生する傷害のほとんどは、従来の医療画像処理手順、例えばＸ線診断では描写が困難又は不可能であり、これにより、とりわけ、長期的な損傷による利益に対する医療診断及び保険金請求の証明がより困難になる可能性がある。
【０００４】
一方、一部の怪我の場合、患者の可能な限り最良の回復を確実にし、少なくとも可能な後期後遺症を減らすことができるようにするため、治療がタイムリーで、特定の怪我に合わせて調整されることが重要である。
【発明の概要】
【発明が解決しようとする課題】
【０００５】
この出願の出願日にまだ公表されていない特許出願ＥＰ１８１６９８８０．４は、車両に個人的な事故データを記録するためのシステム及び方法を記載している。この場合、自動車などの車両の事故時に、乗員の画像データが高速カメラで記録・保存される。次に、画像データを使用して、医療の観点から事故の発生を分析し、したがって、車両の乗員に起こりうる怪我について結論を導き出すことができる。
【０００６】
本発明の目的は、個人事故データを分析するための代替又は改良されたコンピュータ支援方法、又は１人又は複数の車両乗員の個人事故データのコンピュータ支援分析のための装置を提供することである。
【課題を解決するための手段】
【０００７】
この目的は、請求項１に記載の１人又は複数の乗員の個人事故データを分析するためのコンピュータ支援方法、請求項１１に記載の１人又は複数の車両乗員の個人事故データのコンピュータ支援分析のための装置、及び請求項１３に記載の事故支援システムによって達成される。デバイスはまた、以下又はサブクレームに記載された方法の特徴によって、又はその逆によってさらに開発することができ、又は以下又はサブクレームにあるデバイスの特徴を互いに使用して、さらなる開発を行うこともできる。
【０００８】
本発明によるコンピュータ支援方法は、１人又は複数の車両乗員の個人事故データを分析するために使用され、個人事故データは、少なくとも事故中の車両乗員のビデオシーケンスの画像データを含む。  この方法は、画像データに基づいてパターンを認識する少なくとも第１のステップと、認識されたパターンをいくつかの以前に保存されたパターン、好ましくは複数の以前に保存されたパターンと一致させる少なくとも第２のステップを含む。
【０００９】
本出願の文脈において、「数」は常に「１つ以上」として理解されるべきであり、一方、「複数性」という用語は、複数、すなわち１つより多いことを意味する。
【００１０】
「パターン(Muster)」又は「事故パターン」とは、ここでは、画像データから抽出され、車両の乗員に関する事故の経過を特徴付ける特徴を意味すると理解される。このような機能は、特に運動学的データである可能性がある。
【００１１】
ここでのビデオシーケンスは、以下に説明するように、そこからパターンを認識できるようにするために、十分な数の画像、すなわち、十分な量の画像データを含むことが好ましい。この目的のために、ビデオシーケンスは、例えば、高速カメラによって提供することができ、高速カメラは、毎秒多数のフレーム（フレーム毎秒(frames  per  second)、略してｆｐｓ）、例えば、少なくとも７００ｆｐｓ又は少なくとも１０００ｆｐｓを記録するように設計されている。事故プロセス中、及び場合によっては事故プロセス前及び／又は事故プロセス中の短い期間に、１人又は複数の車両乗員の一連の動き全体を記録するため、ビデオシーケンスは、好ましくは、十分に長い記録時間を含む。例えば、ビデオシーケンスは、１０秒又は１５秒の記録時間に対応できる。
【００１２】
第２のステップで実行された比較の結果は、例えば、認識されたパターンが以前に保存されたパターンの１つに対応することである。ここで、以前に保存されたパターンは、特に以前の事故プロセスで記録された画像データに基づくことができる。この場合、つまり、パターンが一致すれば、以前の事故から決定された詳細情報を提供できる。したがって、例えば、以前の事故で発生した怪我などの経験値を使用することが可能である。パターンの認識とパターンの比較は自動的に行われるため、手動分析の場合よりも優れた結果を得ることができる。例えば、最初の救急隊員や主治医が、提供されたビデオシーケンスを視覚的にのみ分析し、コンピュータの支援を受けない場合などである。
【００１３】
決定されたパターンは、例えば、長期的な損害などが原因で保険会社からの利益を請求された場合に、より良い証拠を提供するためにも使用できる。
【００１４】
以前に保存されたパターンと決定されたパターンの一致は、１００パーセント一致する必要はない。これは、例えば９５％や９０％など、以前に確立された信頼区間内での部分的な一致の場合もある。比較ユニットは、例えば、それぞれの場合に２つの以前に提供されたパターンに部分的に一致するパターンを認識し、これらの２つの以前に提供されたパターンに従って可能なデータ出力又は情報出力を提供するように設計することもできる。
【００１５】
認識された及び／又は以前に保存されたパターンは、好ましくは、事故中の車両乗員の移動シーケンス、特に、頭及び／又は首及び／又は胸郭及び／又は体幹及び／又は車両乗員の四肢の加速プロセスの時系列、及び／又は頭及び／又は首及び／又は胴及び／又は胸郭及び／又は車両乗員の四肢のたわみの時系列、を含む。
【００１６】
このような移動シーケンスは、ビデオシーケンスの個々の画像の時系列シーケンスによって与えられ、個々の画像が評価され、組み合わされて、対応する移動シーケンスが形成される。この一連の動きは、例えば、車両乗員の個々の又は複数の身体部分（頭、首、胸郭、胴体及び／又は四肢など）、又は個々の又は複数の身体部分の相互の相対的な動きに関連し得る。したがって、個々の画像は、例えば、それぞれの身体部分の対応する位置に関して評価することができる。
【００１７】
本出願の文脈において、加速又は加速プロセスは、正の、すなわち速度の増加、及び負の、すなわち減速、加速又は加速プロセスの両方を意味すると理解される。
【００１８】
事故関連の傷害は本質的に１つ又は複数のそのような運動シーケンスによって引き起こされるため、運動シーケンスに基づく、又はそれを含むそのようなパターンは、発生する傷害の優れた指標となり得る。したがって、画像データの自動評価、すなわち画像データからのパターンの認識は、例えば、最初の検査の前に、又はそれに関連して、起こり得る損傷の評価を取得することを可能にすることができる。このようにして、例えば、初期治療を可能な限り傷害に合わせて調整することができ、及び／又は傷害を見落とすリスクを低減することができ、及び／又は傷害又は異なる身体領域を、（予想される）傷害の重症度に応じて時間の観点から治療又は検査することができる。したがって、例えば、犠牲者に対してより良い医療（初期）ケアを提供することは一般的に可能である。
【００１９】
医療診断データは、以前に保存されたパターンに割り当てられることが好ましく、この方法は、認識されたパターンに割り当てられた医療診断データを出力する第３のステップをさらに含む。より好ましくは、医学的診断データは、少なくとも１つの医学的診断及び／又は後期医学的結果に関する情報を含み、及び／又は医学的診断データは、車両乗員への傷害の可能な重症度の程度を示す指標値を含む。このような医療診断データを使用すると、例えば、車両の乗員に起こりうる怪我を簡単な方法で、特に事前に、つまり最初の検査の前に認識及び／又は評価することができる。例えば、傷害の重症度の値を示す指標値は、異なる身体部位及び／又は身体部分に提供することができ、負傷者への傷害の治療の時系列は、それぞれの指標値に基づいて確立することができる。この方法により、診断データを可能な限り迅速かつ迅速に提供できる。これは、生命を脅かす怪我の場合に非常に重要である。さらに、医療診断データは、従来の医療診断方法、特に、例えば、医療診断を容易及び／又は改善するために、例えば、Ｘ線検査などの医療画像化方法をサポートするために使用することができる。
【００２０】
個人的な事故データは、好ましくは、事故の直前及び／又は事故中の、車両の物理的動作データ、例えば、その速度及び／又は加速度をさらに含む。これにより、例えば、パターンを認識するための画像データに加えて、これらを使用することが可能になる。
【００２１】
本発明による方法は、好ましくは、機械学習を実施するためのアルゴリズムを使用して実行され、アルゴリズムは、さらに好ましくは、事前に格納されたパターンとして格納された画像データからいくつかのパターンを識別するために事前に提供された一連の個人事故データを使用するのに適している。
【００２２】
機械学習とは、ここでは一般に、経験（つまり以前の事故）からの知識の生成（この場合、個人の事故データ、特に画像データから、場合によっては医療診断データに関連する特定のパターンの抽出）を意味すると理解される。原則として、アルゴリズムは例から、つまり以前の事故から学習するように、つまり適切なパターンを抽出し、未知の個人的な事故データ、特に画像データを評価するように設計されている。
【００２３】
パターンを学習し、それを事前に提供されたパターンとして保存するために、アルゴリズムは、好ましくは、特に対応する医療診断データと併せて、過去の事故からの一連の個人事故データ（すなわち、複数の個人事故データ）、特に画像データを事前に提供される。この学習フェーズの後、特に、提供された個人的な事故データからパターンを認識し、これを、例えば、特定の傷害及び／又は傷害カテゴリに割り当てるため、アルゴリズムは上記の方法の少なくとも一部を実行できる。例えば、さまざまな負傷を負傷カテゴリにグループ化できる。
【００２４】
機械学習を実装するためのそのようなアルゴリズムを使用すると、例えば、上記の方法を少なくとも部分的に自動的に実行することが可能である。特に、多数のデータ（過去の事故から事前に提供された個人的な事故データ）を提供することができ、それに基づいて以前に提供されたパターンが決定される。また、事故などが発生した場合でも、対応するパターンをすばやく簡単に特定できる。
【００２５】
事前に保存されたパターンは、事故データベースに保存されることが好ましい。これにより、例えば、以前に保存されたパターンへのアクセスが可能になる。他方、そのようなデータベースは、例えば、追加の又は新たに決定されたパターンを保存することによって、及び／又はさらなる医療診断データを追加することによって、例えば、必要に応じてそれを更新及び／又は拡張することを可能にする。特に、機械学習を実装するための上記のアルゴリズムは、データベースに新しい認識されたパターンを格納するように設計できる。
【００２６】
本発明による装置は、１人又は複数の車両乗員の個人事故データのコンピュータ支援分析に使用され、個人事故データは、少なくとも事故中の車両乗員のビデオシーケンスの画像データを含む。この装置は、画像データに基づいてパターンを認識するための認識ユニットと、認識されたパターンを以前に保存されたいくつかのパターンと比較するための比較ユニットとを備える。装置は、好ましくは、認識されたパターンに割り当てられた医療診断データを出力するための出力ユニットをさらに備える。したがって、例えば、そのような装置を用いたコンピュータ支援方法に関連して上記の効果を達成することが可能である。
【００２７】
本発明による事故支援システムは、個人事故データのコンピュータ支援分析のための上記の装置と、事故中の車両乗員のビデオシーケンスの画像データをキャプチャするための高速カメラと、高速カメラによってキャプチャされた画像データを格納するためのデータメモリ、好ましくはリングメモリとを備える。事故支援システムは、好ましくは、車両の物理的動作データを取得するための動作データ取得ユニットをさらに備える。これにより、例えば、車両の乗員に起こりうる怪我に関する情報をより迅速に提供することが可能になる。
【００２８】
本発明のさらなる特徴及び有用性は、添付の図面の助けを借りた例示的な実施形態の説明から明らかになる。
【図面の簡単な説明】
【００２９】
【図１】図１は、個人事故データを記録するためのシステムを備えた車両の概略図であり、個人事故データのコンピュータ支援分析のための装置に接続されている。
【図２】図２は、本発明の実施形態による、個人事故データのコンピュータ支援分析のための装置の概略図である。
【図３】図３は、本発明による個人事故データを分析するための方法を概略的に示す。
【発明を実施するための形態】
【００３０】
図１は、車両乗員３を備えた車両１と、個人事故データを記録するための概略的に示された車載システム２を示し、これは、個人事故データのコンピュータ支援分析のための本発明による装置２０にデータ接続を介して接続されている。図１に例として示されている車両１は自動車（ＫＦＺ）であるが、例えば、実用車両として設計することもできる。
【００３１】
個人事故データを捕捉するための車内システム２は、画像データを捕捉するための高速カメラ４として設計された少なくとも１つのカメラ、データ記憶のためのリングメモリとして設計されたデータメモリ（図示せず）、及びリングメモリに記憶されたデータを装置２０に送信するための伝達ユニット（図示せず）を備える。システム２は、オプションとして、車両１の物理的動作データを取得するための動作データ取得ユニット（図示せず）も含む。
【００３２】
システム２の高速カメラ４は、車両乗員３が配置されている車内の領域をキャプチャするのに適した方法で車両１に設計及び配置されている。つまり、車両乗員３の画像の形式でビデオシーケンスを記録する。高速カメラ４は、車両乗員３の全身を捕捉する必要はない。むしろ、体の上部、特に頭５、首、上半身及び／又は肩の領域をキャプチャするだけで十分である。カメラは、より遠位の身体領域も記録することが好ましい。
【００３３】
高速カメラ４は、例えば少なくとも７００ｆｐｓ、好ましくは少なくとも１０００ｆｐｓの高い記録速度を有する。ビデオシーケンスの画像は、高速カメラ４によってデジタル画像データとしてキャプチャされる。
【００３４】
高速カメラ４は、データケーブルなどのデータ接続を介してリングメモリに接続されている。リングメモリは、高速カメラ４によってキャプチャされた画像データ２０をデジタル形式で格納するのに適している。あるいは、リングメモリは、高速カメラ４の内部メモリであってもよい。
【００３５】
リングメモリは、所定のサイズ又は記憶容量を備えたデジタルメモリであり、データ、この場合はとりわけ高速カメラによってキャプチャされた画像データが連続的に保存される。リングバッファの最大サイズに達し、リングバッファがいっぱいになると、保存されている最も古い要素が上書きされ、データが環状カーブ（Schleife）（ループ（Loop）とも呼ばれる）に保存される。したがって、メモリのグラフィック表現はリング状になる。リングメモリは、例えば、適切なソフトウェアによって実装することができ、それによって、デジタルメモリ内のデータの格納及び読み出しがそれに応じて制御される。リングメモリのサイズ又はそのストレージ容量は、高速カメラによって記録された画像と、数秒の時間間隔、例えば１０秒又は２０秒の間に保存される車両の物理的な動作データを保存してから、再度上書きするのに十分であることが好ましい。
【００３６】
オプションの動作データ取得ユニットは、動作データ取得ユニットによって取得された車両１の物理動作データをリングメモリに格納するために、データ接続、例えばデータケーブルを介してリングメモリにも接続されることが好ましい。運転データ取得ユニットは、例えば、速度センサとして、及び／又は位置センサとして、例えば、ＧＰＳとして、及び／又は車両１の瞬間速度又は位置又は加速度を運転データとして取得するための加速度センサとして設計することができる。
【００３７】
リングメモリは、データケーブルなどのデータ接続を介してシステム２の伝送ユニットにも接続される。送信ユニットは、リングバッファに格納された画像データ及びオプションで動作データを個人事故データ１０として、好ましくは暗号化された形式で、無線送信方法によって装置２０に送信するのに適している。この目的のために、伝送ユニットはデータインターフェース（図示せず）を備える。
【００３８】
システム２は、詳細に説明されていない追加のコンポーネント、例えばシステム２の個々のコンポーネントを制御するための制御ユニット、事故を検出するためのセンサ、車内を照らすための照明装置、データ及び／又はさらなるデータメモリを分析するための分析ユニットなど、を含めることもできる。
【００３９】
システム２の動作中、高速カメラ４は、車両１が動いている間、車両乗員３を連続的に撮影する。つまり、車両乗員３から画像データをキャプチャし、リングメモリに送信する。オプションで、同時に、動作データ取得ユニットは、好ましくは連続的に、車両１の動作データを記録し、それらをリングメモリに送信する。事故が発生しない限り、リングメモリに保存されているデータは、特にリングメモリの記録容量に依存する特定の記録期間の後に新しいデータで上書きされる。
【００４０】
事故が発生した場合、この継続的なデータストレージが中断されるため、リングメモリ内のデータが上書きされることはなくなる。したがって、データの保存が終了した後、事故が発生した期間の画像データとオプションで物理的な動作データがリングメモリにある。次に、これらは、個人事故データ１０として、個人事故データを分析するために、送信ユニットから装置２０に送信される。あるいは、個人的な事故データを別の外部機関に、例えば、救助管制センター及び/又は別の医療施設及び/又は車両外部のデータ保存装置に送信することができ、例えば、外部サーバー又はクラウドであり得、装置２０で使用するためにこの外部の場所によって提供され得る。個人事故データ１０の送信は、無線で、例えば、無線、特に移動無線、又はインターネットによって行われ、例えば、電子的に送信された緊急通報（いわゆるｅＣａｌｌ）と一緒に行うことができる。個人事故データ１０は、好ましくは、例えば、ＯｐｅｎＰＧＰを使用して、暗号化された形式で送信される。ここで、個人事故データ１０は、装置２０又は外部位置によって生成された公開鍵を使用して送信ユニットによって暗号化され、装置２０又は外部位置の対応する秘密（秘密）鍵を使用してのみ再び復号化することができる。
【００４１】
あるいは、個人事故データのコンピュータ支援分析用の装置２０は、第１の助手が彼と一緒に携帯し、データ接続、特にデータケーブルなどを介して伝送ユニットに接続できるモバイルデバイス（図には示されていない）に実装することができる。車載システム２と組み合わせたモバイルデバイスは、事故支援システムの一例である。これは、車両の乗員に起こりうる怪我を迅速に検出するために使用される。
【００４２】
個人事故データのコンピュータ支援分析のために図２に概略的に示されている装置２０は、少なくとも１つの認識ユニット２１、比較ユニット２２、及び出力ユニット２３を備える。個人事故データのコンピュータ支援分析のための装置２０の動作は、図３を参照して以下に説明される。
【００４３】
個人事故データを分析するための本発明によるコンピュータ支援方法の第１のステップＳ１（図３を参照）において、認識ユニット２１は、個人事故データ１０の画像データからパターンＭ（ｘ）を認識する。任意選択で、画像データに加えて、認識ユニットは、車両１の物理的動作データを使用して、パターンＭ（ｘ）を認識することができる。
【００４４】
パターンＭは、一般に、事故時の車両乗員３の１つ又は複数の移動シーケンスを表す。例えば、パターンは、車両乗員３の少なくとも１つの身体部分の加速又は加速の時間的シーケンスを含むことができる。代替的又は追加的に、パターンは、車両乗員３の少なくとも１つの身体部分の相対的及び／又は絶対的偏向の時系列を含むことができる。そのような身体部分は、特に、車両乗員３の頭５及び／又は首及び／又は胸郭及び／又は胴及び／又は四肢、例えば腕であり得る。特に、異なる身体部分の相対的なたわみ及び／又は加速度もまた、互いに関して、すなわち、例えば、車両乗員３の肩領域又は上半身に対する頭部５の相対的なたわみを考慮することができる。オプションで、パターンには、事故の直前及び／又は事故中の車両の物理的な動作データ、例えば加速度及び／又は速度を含めることもできる。
【００４５】
続いて、第２のステップＳ２において、比較ユニット２２は、認識ユニットによって認識されたパターンＭ（ｘ）を、以前に記憶されたいくつかのパターンＭ（１）からＭ（ｎ）と比較する。以前に格納されたパターンは、例えば、データベースに格納することができ、データベースは装置２０の内部メモリであり、又は比較ユニット２２は、装置の外部のデータベース（事故データベースとも呼ばれる）にアクセスする。比較の結果、認識されたパターンＭ（ｘ）は以前に保存されたパターンＭ（１）からＭ（ｎ）のいずれかに対応するか、又は認識されたパターンＭ（ｘ）は以前に保存されたパターンのいずれにも対応しない。
【００４６】
例えば、データベースには、Ｍ（１）からＭ（ｎ）までのｎ個のパターンを含めることができる。ここで、ｎは１以上の自然数である（ｎ≧１）。データベースは、好ましくは、いくつかのパターン、Ｍ（１）からＭ（ｎ）、すなわち、複数のパターン、すなわち、ｎ＞１を含む。パターンＭ（１）からＭ（ｎ）は、好ましくは異なるパターンである。
【００４７】
医療診断データＤ（１）からＤ（ｐ）は、データベース（又は医療診断データのセット）にも保存されることが好ましい。ここで、ｐも１以上の自然数（ｐ≧１）である。医療診断データＤ（１）からＤ（ｐ）の数ｐは、データベースに以前に保存されたパターンの数ｎに対応することが好ましい（つまり、ｐ＝ｎ）。ここで、ｎ個のパターンＭ（１）からＭ（ｎ）のそれぞれには、正確に１セットの医療診断データＤ（１）からＤ（ｐ）が割り当てらる。
【００４８】
一連の医療診断データＤ（ｉ）（１≦ｉ≦ｐ）は、少なくとも１つの医療診断及び／又は医療の長期的影響に関する情報を含む。医療診断データ、すなわち医療診断及び／又は医療の長期的影響に関する情報は、特にパターンＭ（ｉ）が認識された別の乗員の以前の事故から得られた情報に関連しており、診断データＤ（ｉ）が割り当てられる。
【００４９】
医療診断データには、車両乗員の負傷の種類及び／又は重症度に関する情報が含まれている。事故直後に発見された怪我だけでなく、事故後、つまり事故から数日、数週間、さらには数ヶ月後に発生する障害（長期的な影響）も考慮に入れることができる。
【００５０】
代替的又は追加的に、一連の医療診断データＤ（ｉ）に損傷の重症度を割り当てることができる。この目的のために、傷害は、例えば、軽度、中度、重度、非常に重度、又は生命を脅かすものとして分類することができ（例えば、「軽い」、「中」、「難しい」、「非常に難しい」、「生命を脅かす」、又は１（簡単）から５（生命を脅かす）までのスケールで）、対応する指標値を医療診断データＤ（ｉ）に保存することができる。
【００５１】
ステップＳ２で、認識されたパターンＭ（ｘ）を以前に保存されたパターンＭ（１）からＭ（ｎ）と比較すると、認識されたパターンＭ（ｘ）が以前に保存されたパターンの１つに対応することが示される、つまり、Ｍ（ｘ）＝Ｍ（ｊ）、ここで１≦ｊ≦ｎである場合、ステップＳ３（図３を参照）の出力ユニット２３（図２を参照）は、このパターン及び／又はパターンＭ（ｊ）自体に対応する診断データＤ（ｊ）を出力する。
【００５２】
以前に保存されたパターンと関連する医療診断データをデータベースに保存するには、次の手順を使用できる。：  例えば、個人的な事故データとそれらに割り当てられた医療診断データのペアがそれぞれの場合に提供される。個人の事故データ及び医療診断データは、例えば、以前の事故から決定されたデータであり得る。適切なパターンは、適切なアルゴリズムを使用して、おそらく車両の物理的動作データ及び／又は医療診断データと組み合わせて、画像データから認識される。アルゴリズムは、機械学習の方法に基づくことが好ましい。つまり、提供されたデータのみに基づいて、データから対応するパターンを独立して認識するのに適している。
【００５３】
この方法で認識された各パターンは、データベース又は別のデータメモリに対応する医療診断データとともに以前に保存されたパターンとして保存される。
【００５４】
ステップＳ２で認識されたパターンＭ（ｘ）を以前に保存されたパターンＭ（１）からＭ（ｎ）と比較すると、認識されたパターンＭ（ｘ）が以前に保存されたパターンのいずれにも対応しないことが示される。出力ユニットは、対応する情報を、例えば、テキスト及び／又は光又は音響信号の形で出力するように設計されることが好ましい。あるいは、又はそれに加えて、出力ユニットは、認識されたパターンＭ（ｘ）自体を出力することもできる
【００５５】
オプションで、以前に保存されたパターンＭ（１）からＭ（ｎ）のいずれにも対応しない、認識されたパターンＭ（ｘ）もデータベースに保管できる(hinterlegt)、つまり、保存できる。そして対応する診断データが利用可能な場合、例えば、初期及び／又は後続の診断及び／又は晩期障害に関する情報が含まれる場合、これらを新しく保存されたパターンＭ（ｘ）に割り当て、これに関連してデータベースに保存できる。
【００５６】
請求項１
１人又は複数の車両乗員（３）の個人事故データ（１０）を分析するためのコンピュータ支援方法であって、
ここで、前記個人事故データ（１０）は、事故中の車両乗員（３）のビデオシーケンスの少なくとも画像データを含み、
ここで、当該方法は、
前記画像データに基づいてパターン（Ｍ（ｘ））を認識する少なくとも１つの第１のステップ（Ｓ１）、及び
前記認識されたパターン（Ｍ（ｘ））をいくつかの以前に保存されたパターン（Ｍ（１）…Ｍ（ｎ））と比較する少なくとも１つの第２のステップ（Ｓ２）、
を含む、コンピュータ支援方法。
請求項２
認識されたパターンは、前記事故中の前記車両乗員（３）の移動シーケンスを含む、請求項１に記載のコンピュータ支援方法。
請求項３
認識された、及び/又は以前に保存されたパターンは、頭部（５）及び／又は首及び／又は胸郭及び／又は体幹及び／又は車両乗員の四肢（３）の加速プロセスの時系列、及び／又は頭（５）及び／又は首及び／又は胴及び／又は胸郭及び／又は車両乗員の四肢（３）のたわみの時系列を含む、請求項２に記載のコンピュータ支援方法。
請求項４
医療診断データ（Ｄ（１）．．．Ｄ（ｐ））は、以前に保存されたパターン（Ｍ（１）．．．Ｍ（ｎ））に割り当てられる、且つ、当該方法は、前記認識されたパターン（Ｍ（ｊ））に割り当てられた医療診断データ（Ｄ（ｊ））を出力する第３のステップ（Ｓ３）をさらに含む、請求項１から３のいずれか一項に記載のコンピュータ支援方法。
請求項５
前記医療診断データ（Ｄ（１）．．．Ｄ（ｐ））は、少なくとも１つの医療診断及び／又は医療の長期的影響に関する情報を含む、請求項４に記載のコンピュータ支援方法。
請求項６
前記医療診断データ（Ｄ（１）．．．Ｄ（ｐ））は、前記車両乗員（３）の負傷の可能性のある重症度を示す指標値を含む、請求項４又は５に記載のコンピュータ支援方法。
請求項７
前記個人事故データ（１０）は、前記事故直前及び／又は前記事故中の車両の物理的動作データをさらに含む、請求項１から６のいずれか一項に記載のコンピュータ支援方法。
請求項８
機械学習を実装するためのアルゴリズムを使用して実行される、請求項１から７のいずれか一項に記載のコンピュータ支援方法。
請求項９
前記アルゴリズムは、事前に提供された一連の個人事故データ（１０）を使用して、事前に保存されたパターン（Ｍ（１）．．．Ｍ（ｎ））として保存された画像データからいくつかのパターンを識別するのに適している、請求項８に記載のコンピュータ支援方法。
請求項１０
前記以前に保存されたパターン（Ｍ（１）．．．Ｍ（ｎ））は、事故データベースに保存される、請求項１から９のいずれかに記載のコンピュータ支援方法。
請求項１１
１人又は複数の車両乗員（３）の個人事故データ（１０）のコンピュータ支援分析用装置であって、ここで、前記個人事故データ（１０）は、少なくとも、事故中の車両乗員（３）のビデオシーケンスの画像データを含み、ここで、当該装置（２０）は、以下：
前記画像データに基づいてパターン（Ｍ（ｘ））を認識するための認識ユニット（２１）、及び
前記認識されたパターン（Ｍ（ｘ））を多数の以前に保存されたパターン（Ｍ（１）．．．Ｍ（ｎ））と比較するための比較ユニット（２２）、
を含む装置。
請求項１２
認識されたパターン（Ｍ（ｊ））に割り当てられた医療診断データ（Ｄ（ｊ））を出力するための出力ユニット（２３）をさらに含む、請求項１１に記載の装置。
請求項１３
請求項１１又は１２に記載の装置と、事故時の前記車両乗員（３）のビデオシーケンスの画像データを捕捉するための高速カメラと、前記高速カメラによって捕捉された画像データを記憶するためのデータメモリ、好ましくはリングメモリ、とを含む事故支援システム。
請求項１４
車両（１）の物理的動作データを取得するための動作データ取得ユニットをさらに含む、請求項１３に記載の事故支援システム。
【符号の説明】
【００５７】
１  車両
２  車内システム
３  車両乗員
４  高速カメラ
５  頭
１０  個人事故データ
２０  装置
【図１】
2021531549.tif 000003
【図２】
2021531549.tif 000004
【図３】
2021531549.tif 000005
【手続補正書】
【提出日】令和2年8月13日(2020.8.13)
【手続補正１】
【補正対象書類名】特許請求の範囲
【補正対象項目名】全文
【補正方法】変更
【補正の内容】
【特許請求の範囲】
【請求項１】
１人又は複数の車両乗員（３）の個人事故データ（１０）を分析するためのコンピュータ支援方法であって、
ここで、前記個人事故データ（１０）は、事故中の車両乗員（３）のビデオシーケンスの少なくとも画像データを含み、
ここで、当該方法は、
前記画像データに基づいてパターン（Ｍ（ｘ））を認識する１つの第１のステップ（Ｓ１）、及び
前記認識されたパターン（Ｍ（ｘ））をいくつかの以前に保存されたパターン（Ｍ（１）…Ｍ（ｎ））と比較する１つの第２のステップ（Ｓ２）、
を含み、ここで、この検出されたパターン（Ｍ（ｘ））は、事故中の車両乗員（３）の移動シーケンスを含み、
認識された、及び/又は以前に保存されたパターンは、頭部（５）及び／又は首及び／又は胸郭及び／又は体幹及び／又は車両乗員の四肢（３）の加速プロセスの時系列、及び／又は頭（５）及び／又は首及び／又は胴及び／又は胸郭及び／又は車両乗員の四肢（３）のたわみの時系列を含むことを特徴し、
ここで、医療診断データ（Ｄ（１）．．．Ｄ（ｐ））は、以前に保存されたパターン（Ｍ（１）．．．Ｍ（ｎ））に割り当てられる、且つ、当該方法は、前記認識されたパターン（Ｍ（ｊ））に割り当てられた医療診断データ（Ｄ（ｊ））を出力する第３のステップ（Ｓ３）をさらに含む、コンピュータ支援方法。
【請求項２】
前記医療診断データ（Ｄ（１）．．．Ｄ（ｐ））は、少なくとも１つの医療診断及び／又は医療の長期的影響に関する情報を含む、請求項１に記載のコンピュータ支援方法。
【請求項３】
前記医療診断データ（Ｄ（１）．．．Ｄ（ｐ））は、前記車両乗員（３）の負傷の可能性のある重症度を示す指標値を含む、請求項１又は２に記載のコンピュータ支援方法。
【請求項４】
前記個人事故データ（１０）は、前記事故直前及び／又は前記事故中の車両の物理的動作データをさらに含む、請求項１から３のいずれか一項に記載のコンピュータ支援方法。
【請求項５】
機械学習を実装するためのアルゴリズムを使用して実行される、請求項１から４のいずれか一項に記載のコンピュータ支援方法。
【請求項６】
前記アルゴリズムは、事前に提供された一連の個人事故データ（１０）を使用して、事前に保存されたパターン（Ｍ（１）．．．Ｍ（ｎ））として保存された画像データからいくつかのパターンを識別するのに適している、請求項５に記載のコンピュータ支援方法。
【請求項７】
前記以前に保存されたパターン（Ｍ（１）．．．Ｍ（ｎ））は、事故データベースに保存される、請求項１から６のいずれかに記載のコンピュータ支援方法。
【請求項８】
１人又は複数の車両乗員（３）の個人事故データ（１０）のコンピュータ支援分析用装置であって、ここで、前記個人事故データ（１０）は、少なくとも、事故中の車両乗員（３）のビデオシーケンスの画像データを含み、ここで、当該装置（２０）は、以下：
前記画像データに基づいてパターン（Ｍ（ｘ））を認識するための認識ユニット（２１）、
事故時の車両乗員（３）の移動シーケンスを含む前記認識されたパターン（Ｍ（ｘ））を、多数の以前に保存されたパターン（Ｍ（１）．．．Ｍ（ｎ））と比較するための比較ユニット（２２）、
を含み、
検出されたおよび／または以前に保存されたパターンは、頭（５）及び／又は首及び／又は胸部及び／又は胴体及び／又は車両乗員の四肢（３）の加速プロセスの時系列、及び／又は頭部（５）及び／又は首及び／又は胴体及び／又は胸部及び／又は車両乗員の四肢（３）の変位の時系列を含むこと、ここで、前記以前に保存されたパターン（Ｍ（１）．．．Ｍ（ｎ））にはそれぞれ医療診断データ（Ｄ（１）．．．  Ｄ（ｐ））が割り当てられ、且つ当該装置はさらに、検出されたパターン（Ｍ（ｊ））に割り当てられた医療診断データ（Ｄ（ｊ））のためのユニットを含み、出力することを特徴とする、装置。
【請求項９】
請求項８に記載の装置と、事故時の前記車両乗員（３）のビデオシーケンスの画像データを捕捉するための高速カメラと、前記高速カメラによって捕捉された画像データを記憶するためのデータメモリ、好ましくはリングメモリ、とを含む事故支援システム。
【請求項１０】
車両（１）の物理的動作データを取得するための動作データ取得ユニットをさらに含む、請求項９に記載の事故支援システム。
【手続補正２】
【補正対象書類名】明細書
【補正対象項目名】０００５
【補正方法】変更
【補正の内容】
【０００５】
米国特許第６  ７６０  ００９  Ｂ１号では、乗客エリアの第１および第２の画像を生成するための一対のカメラを含む自動車制御システムが開示されている。距離プロセッサは、第１の画像と第２の画像との間で変位した物体の距離を決定し、距離分析によって、物体の動きおよびこの動きの速度を決定することができる。距離情報はまた、画像内の事前定義されたパターンを検出し、したがってオブジェクトを識別するために使用され得る。
【手続補正３】
【補正対象書類名】明細書
【補正対象項目名】０００６
【補正方法】変更
【補正の内容】
【０００６】
ＵＳ  ２０１６／００１７８１  Ａ１から、車両システムを制御するための方法が知られており、１つまたは複数の監視システムの監視情報を受信し、１つまたは複数の監視システムからの監視情報に基づいて複数の車両ステータスを決定する。
【手続補正４】
【補正対象書類名】明細書
【補正対象項目名】０００９
【補正方法】変更
【補正の内容】
【０００９】
この目的は、請求項１に記載の１人又は複数の乗員の個人事故データを分析するためのコンピュータ支援方法、請求項８に記載の１人又は複数の車両乗員の個人事故データのコンピュータ支援分析のための装置、及び請求項９に記載の事故支援システムによって達成される。デバイスはまた、以下又はサブクレームに記載された方法の特徴によって、又はその逆によってさらに開発することができ、又は以下又はサブクレームにあるデバイスの特徴を互いに使用して、さらなる開発を行うこともできる。
【国際調査報告】
2021531549.tif 000006
2021531549.tif 000007
2021531549.tif 000008
2021531549.tif 000009
2021531549.tif 000010
2021531549.tif 000011